(57)【特許請求の範囲】
【請求項１】
両端を開口に形成するとともに、一端開口にリングねじ蓋を設けた外筒と、両端を開口にすると共に一端開口を、乳首を覆うように乳房に圧接できるラッパ状に形成した内筒と、軟質ゴムから成り中空突起部と中空突起部を囲むリング面及びリング面を囲むフランジ部を一体成形し、中空突起部の先端に主スリットを形成し、リング面に中空突起部の内外を連通する主空気通路と主空気通路の一端開口を覆蓋する断面半円形の中空凸部と中空凸部の頂部に副スリットを形成し、フランジに副空気通路を形成し、かつフランジを哺乳瓶類の瓶口の上端部に被せて中空突起部を哺乳瓶類の中に突出させたとき、中空凸部が反中空突起部側に突出し、かつ副空気通路によって瓶口の内外が連通されるように中空突起部と主空気通路と中空凸部及び副空気通路を配設した弁体を備え、外筒に内筒を気密に、かつ出入可能に嵌合して外筒の一端開口から内筒のラッパ口を突出させるとともに、外筒と内筒で外筒のリングねじ蓋側に母乳貯留部を区画し、リングねじ蓋を哺乳瓶類の瓶口に締め付けてリングねじ蓋の裏面と瓶口の上端部によって前記弁体のフランジを挟持し、内筒を外筒から引き出すとき前記母乳貯留部が負圧になって前記中空突起部の主スリットが閉じ、内筒を外筒に押し込むとき前記中空突起部の主スリットが開くように構成し、母乳貯留部が所定負圧以上になると前記中空凸部の副スリットが開いて、副空気通路、哺乳瓶類の内部空間及び主空気通路を通して外気が母乳貯留部に導入されるように構成したことを特徴とする母乳搾乳器。
【発明の詳細な説明】
【技術分野】
【０００１】  本発明は、母乳搾乳器に関する。
【背景技術】
【０００２】  母乳搾乳器の一形式として、実公昭５５−２８２７１号公報には両端を開口にした外筒と、両端を開口にすると共に一端開口を乳首に被せることのできるラッパ状に形成した内筒を備えた搾乳器が開示されている。この搾乳器では、外筒に内筒を気密に、かつ出入可能に嵌合し、外筒の一端開口から内筒のラッパ口を突出させている。そして、外筒の他端開口に内筒の外部から内部への空気の流入を阻止し、内筒の内部から外部への空気の流出を許容するチェック弁を設けている。【０００３】  上記した従来の搾乳器によれば、内筒のラッパ口を、乳首を覆うように乳房に圧接し、外筒を引っ張って内筒を外筒から引き出すと、内筒と外筒で区画される母乳貯留部の容積が拡大してここに負圧が発生する。この負圧が乳首に作用して母乳が母乳貯留部へ吸引される。内筒を外筒から引き出すとき、チェック弁は閉じて外部から母乳貯留部へ空気が流入するのを阻止するように作用する。【０００４】  続いて、引き出した内筒を外筒に押し込むと、チェック弁が開き、母乳が母乳貯留部からチェック弁を通って外部へ排出される。
【先行技術文献】
【特許文献】
【０００５】
【特許文献１】実公昭５５−２８２７１号公報
【発明の概要】
【発明が解決しようとする課題】
【０００６】  上記した従来の母乳搾乳器では、母乳貯留部に発生する負圧を乳首に作用させて母乳を吸引しているが、負圧が大き過ぎると、乳頭が充血して炎症を起こしたり、乳管が延びて細くなり乳汁の流通を阻害し搾乳できなくなる等の乳頭トラブルの原因となるという問題があった。  本発明はかかる問題点に鑑み、負圧が過大になって乳頭トラブルが発生するのを防止できる母乳搾乳器を提供することを目的とする。
【課題を解決するための手段】
【０００７】  請求項１に記載の発明に係る母乳搾乳器は、両端を開口に形成するとともに、一端開口にリングねじ蓋を設けた外筒と、  両端を開口にすると共に一端開口を、乳首を覆うように乳房に圧接できるラッパ状に形成した内筒と、  軟質ゴムから成り中空突起部と中空突起部を囲むリング面及びリング面を囲むフランジ部を一体成形し、中空突起部の先端に主スリットを形成し、リング面に中空突起部の内外を連通する主空気通路と主空気通路の一端開口を覆蓋する断面半円形の中空凸部と中空凸部の頂部に副スリットを形成し、フランジに副空気通路を形成し、かつフランジを哺乳瓶類の瓶口の上端部に被せて中空突起部を哺乳瓶類の中に突出させたとき、中空凸部が反中空突起部側に突出し、かつ副空気通路によって瓶口の内外が連通されるように中空突起部と主空気通路と中空凸部及び副空気通路を配設した弁体を備え、外筒に内筒を気密に、かつ出入可能に嵌合して外筒の一端開口から内筒のラッパ口を突出させるとともに、外筒と内筒で外筒のリングねじ蓋側に母乳貯留部を区画し、リングねじ蓋を哺乳瓶類の瓶口に締め付けてリングねじ蓋の裏面と瓶口の上端部によって前記弁体のフランジを挟持し、内筒を外筒から引き出すとき前記母乳貯留部が負圧になって前記中空突起部の主スリットが閉じ、内筒を外筒に押し込むとき前記中空突起部の主スリットが開くように構成し、母乳貯留部が所定負圧以上になると前記中空凸部の副スリットが開いて、副空気通路、哺乳瓶類の内部空間及び主空気通路を通して外気が母乳貯留部に導入されるように構成したことを特徴とする。
【発明の効果】
【０００８】  請求項１に記載の発明によれば、リングねじ蓋を瓶口に締め付けることにより、母乳搾乳器を哺乳瓶類に装着できる。  しかして、内筒を外筒から引き出して母乳を乳首から母乳貯留部内へ吸引するとき、主スリットは閉じていて外部から母乳貯留部へ空気が流入するのを阻止するように作用する。  一方、引き出した内筒を外筒に押し込んで母乳貯留部から母乳を排出するとき、主スリットが開き、母乳が母乳貯留部から主スリットを通って哺乳瓶類に母乳を注入できる。  内筒を外筒から引き出したとき母乳貯留部に発生する負圧が所定負圧以上になると、副スリットが開き、副空気通路、哺乳瓶類の内部空間、主空気通路を通って母乳貯留部へ外気が導入されるので、母乳貯留部の負圧が低減する。これにより、乳房や乳首に過大な負圧が作用することを防止できる。  しかして、本発明によれば、中空突起部、中空凸部、主空気通路及び副空気通路が一体構造となっているので、構造が簡素化され、母乳搾乳器の製造コストを低減できる。
【図面の簡単な説明】
【０００９】
【図１】本実施例に係る母乳搾乳器を示す断面図である。
【図２】同母乳搾乳器の弁体を示す弁体の平面図である。
【図３】同弁体を示す側面図である。
【図４】同弁体を示す底面図である。
【図５】図４のＡ−Ａ線切断断面図である。
【図６】図４のＢ−Ｂ線切断断面図である。
【図７】図４のＣ−Ｃ線切断断面図である。
【実施例１】
【００１０】  本発明を図面に基づき説明する。図１には本発明の一実施例に係る母乳搾乳器が示されている。当該母乳搾乳器１０は硬質プラスチック成型品の内筒１１と外筒１２及び軟質プラスチックゴム製の弁体１３を備えている。【００１１】  内筒１１は両端１１ａ，１１ｂが開口に形成され、一端開口１１ａは乳首を覆うように乳房に圧接できるようにラッパ状に形成され、ラッパ口１１ａの基端部に１本のリング凸条１１ｃが形成されている。また、内筒１１の他端開口１１ｂ側の外周部には２本のリング凸条１１ｅ，１１ｄが形成され、両リング凸条１１ｅ，１１ｄ間にパッキン１４が装着されている。【００１２】  外筒１２は両端１２ａ，１２ｂが開口に形成され、一端開口１２ａから内筒１１が挿入され、内筒１１のラッパ口１１ａが一端開口１２ａから突出している。外筒１２の他端開口１２ｂの周縁部には哺乳瓶類１５の瓶口１５ａに締め付けることのできるリングねじ蓋１２ｃが一体成形されている。また、外筒の一端開口１２ａの外周部には着脱可能なストッパリング１７が係止されている。【００１３】  内筒１１は外筒１２の一端開口１２ａに出入可能に、かつパッキン１４により気密に嵌合され、内筒１１の押し込みストローク端が外筒１２の一端開口端部１２ａと内筒１１のリング凸条１１ｃとの当接で規制される。また、内筒１１の引き出しストローク端がリング凸条１１ｄとストッパリング１７の爪１７ａとの当接によって規制される。【００１４】  弁体１３の詳細を図２〜図７に示す。図２は弁体の平面図、図３は弁体の側面図、図４は弁体の底面図、図５は図４のＡ−Ａ線切断断面図、図６は図４のＢ−Ｂ線切断断面図、図７は図４のＣ−Ｃ線切断断面図である。図２〜図７に示すように、弁体１３はフランジ１３ａと、フランジ１３ａの内側のリング面１３ｂと、断面逆三角形の中空突起部１３ｃを有し、フランジ１３ａ、リング面１３ｂ及び中空突起部１３ｃを連続して成形したキャップ構造を備えている。中空突起部１３ｃはリング面１３ｂから反フランジ側１３ａへ突出し、突起先端部１３ｄに１本の主スリット１３ｅが形成されている。中空突起部１３ｃは本発明における主チェック弁を構成する。【００１５】  図５に詳細を示すように、リング面１３ｂの一箇所に断面円形の空気導入部１３ｆが形成され、空気導入部１３ｆのキャップ内側端部に断面半円形の中空凸部１３ｇが一体成形され、空気導入部１３ｆの開口を覆蓋している。この中空凸部１３ｇの頂部に１本の副スリット１３ｈが形成されている。中空凸部１３ｇと空気導入部１３ｆはそれぞれ本発明における副チェック弁と主空気通路構成する。また、フランジ１３ａの裏面の２箇所に断面半円形の溝１３ｉが形成されている。この溝１３ｉは本発明における副空気通路を構成する。【００１６】  本実施例に係る母乳搾乳器１０の構成は以上の通りであって、哺乳瓶１５に母乳を貯える場合、リングねじ蓋１２ｃを哺乳瓶１５の瓶口１５ａに締め付け、弁体１３のフランジ１３ａをリングねじ蓋１２ｃの裏面と哺乳瓶１５の瓶口１５ａの上端部で挟持し、弁体１３で外筒１２の他端開口１２ｂを副蓋する。このようにして母乳搾乳器１０を哺乳瓶１５に装着する。リングねじ蓋１２ｃを瓶口１５ａに締め付け���も溝１３ｉによって哺乳瓶１５の内外が連通されるので、外気が哺乳瓶１５中に導入される。【００１７】  母乳搾乳器１０をリングねじ蓋１２ｃで哺乳瓶１５に装着したら、内筒１１のラッパ口１１ａを、乳首を覆うように乳房に圧接し、外筒１２を引っ張って内筒１１を外筒１２から引き出すと、内筒１１と外筒１２で区画される母乳貯留部１６の容積が拡大してここに負圧が発生する。この負圧が乳首に作用して母乳が母乳貯留部１６へ吸引される。【００１８】  内筒１１を外筒１２から引き出すとき、弁体１３の中空突起部１３ｃの突起先端１３ｄに形成した主スリット１３ｅは、軟質プラスチックゴムの弾力により閉じているので、主チェック弁である中空突起部１３ｄは哺乳瓶１５から母乳貯留部１６へ空気が流入するのを阻止するように作用する。また、中空凸部１３ｇの副スリット１３ｈも母乳貯留部１６の所定負圧以下のうちは軟質プラスチックゴムの弾力で閉じているので、副チェック弁である中空凸部１３ｇは哺乳瓶１５から空気導入部１３ｆを通って母乳貯留部１６へ空気が流入するのを阻止する。【００１９】  続いて、引き出した内筒１１を外筒１２に押し込むと、空気圧で主スリット１３ｅが開き、母乳が母乳貯留部１６から主スリット１３ｅを通って哺乳瓶１５に注入される。【００２０】  内筒１１を外筒１２から引き出したとき母乳貯留部１６に発生する負圧が所定負圧以上になると、中空凸部１３ｇの副スリット１３ｈが開き、空気導入部１３ｆを通って母乳貯留部１６へ外気が導入されるので、母乳貯留部１６の負圧が低減し、所定負圧を越えることはない。そのため、過大な負圧が乳房や乳首に作用して乳頭トラブルが発生するのを防止できる。【００２１】  また、本実施例に係る母乳搾乳器１０は、主チェック弁である中空突起部１３ｃと副チェック弁である中空凸部１３ｇが一体成形されているので、構造が簡素化され、母乳搾乳器１０の製造コストを低減できる。【００２２】  なお、主チェック弁は母乳貯留部の負圧が高まればそれに比例して弁の気密性も高まるが、副チェック弁は弁の構造上所定負圧を越えると外気から空気を導入して圧力を一定圧に抑える効果がある。このため母乳貯留部の所定負圧は中空凸部の肉厚、硬度及びスリット長の各要素で決定される。製造時にこれらの各要素を調整して所定負圧が設定される。【００２３】  また、本実施例に係る母乳搾乳器１０は一例として哺乳瓶１５に装着したが、例えば両端を開口にし、各開口の周囲にねじを形成した中間筒の一端にリングねじ蓋を締め付け、他端開口に特公平６−８１４０号に開示されたような樹脂フィルム製袋を装着し、この袋に母乳を貯えることも可能である。
【符号の説明】
【００２４】１０…母乳搾乳器１１…内筒１１ａ…ラッパ口１１ｂ…他端開口１２…外筒１２ａ…一端開口１２ｂ…他端開口１３…弁体１３ａ…フランジ１３ｂ…リング面１３ｃ…中空突起部（主チェック弁）１３ｄ…突起先端１３ｅ…主スリット１３ｆ…空気導通部（主空気通路）１３ｇ…中空凸部（副チェック弁）１３ｈ…副スリット１３ｉ…溝（副空気通路）１５…哺乳瓶１６…母乳貯留部１７…ストッパリング
【図１】
0004767328.tif 000002
【図２】
0004767328.tif 000003
【図３】
0004767328.tif 000004
【図４】
0004767328.tif 000005
【図５】
0004767328.tif 000006
【図６】
0004767328.tif 000007
【図７】
0004767328.tif 000008